(57)【要約】【課題】自動販売機により商品を購入することなく両替を行うこと。【解決手段】これまで自動販売機において両替を行う場合には、販売機の物品を購入することによって、投入金額と商品との差額の釣銭の形で両替をすることができたが、無用の物品を購入しなければならなかった。そこで、自動販売機１０１の商品選択ボタン４３の一ないしは複数を価額零の商品搬出無しという割り当てを行うことにより、自動販売機１０１に両替の機能を持たせることができた。両替機と自動販売機では、紙幣投入口、硬貨払出口、紙幣判別部など共通部品が多く、付属の装置を付け足すことなく自動販売機において両替の機能を実現することができる。【選択図】図２
2007172095.tif 000002
【特許請求の範囲】
【請求項１】
目的物及びその価額がそれぞれ割り当てられた複数の選択ボタンと、
紙幣投入口から紙幣を投入し複数の選択ボタンの何れかを選択操作することで選択ボタンに応じて選択された目的物を搬出する商品搬出部と、
前記選択ボタンに割り当てられた目的物の価額を精算して釣銭払出口から釣銭を払い出す金額精算部とを備えた自動販売機において、
前記選択ボタンの何れかは、目的物及び価額の割り当てを行わない両替用の設定とし、
前記商品搬出部は、前記両替用の選択ボタンにつきその選択操作では目的物の搬出を行わない両替用の設定とし、
前記金額精算部は、前記両替用の選択ボタンにつき目的物の割り当てを行わない価額零に対して精算し釣銭として払い出す
ことを特徴とする自動販売機。
【請求項２】
請求項１記載の自動販売機であって、
前記目的物は、プリペイドカード、飲食物、嗜好品、入場券の何れかである
ことを特徴とする自動販売機。
【請求項３】
請求項１または２記載の自動販売機であって、
前記釣銭は、硬貨または硬貨及び紙幣である
ことを特徴とする自動販売機。
【発明の詳細な説明】
【技術分野】
【０００１】
本発明は、物品またはサービスを購入するための自動販売機に係わり、特に両替の機能を持つ自動販売機に関するものである。
【背景技術】
【０００２】
従来、自動販売機は、物品やサービスを販売するために設けられており、両替機としての機能を兼ね備えるものは無かった（特許文献１及び２参照）。利用者が自動販売機を利用して、両替を行いたい場合には、利用者が自動販売機で販売される購入品（またはサービス）よりも高額な紙幣や硬貨を投入し、投入した金額から購入金額を引いた額を、釣銭として両替をすることができるが、その場合両替の目的の為に無用な物品を購入しなければならなかった。
【０００３】
最近２４時間の小規模コイン駐車場が多数設置されるようになった。これらの駐車場では、各車両のスペースごとに駐車管理装置がついており、その各駐車管理装置には個別の料金精算機が設置されているが、限られたスペースで使えるように硬貨または専用カードでしか精算のできない、釣銭のでない型の料金精算機が使用されている。
【０００４】
この場合、駐車場には、カード販売機と両替機の二つの機械の設置が必要であり、装置二台分の費用と二台分の運営管理費が必要であった。
【０００５】
【特許文献１】特開平９−１９８５５０号公報
【特許文献２】特開２００２−１１７４３０号公報
【発明の開示】
【発明が解決しようとする課題】
【０００６】
解決しようとする問題点は、自動販売機においては、物品やサービスを購入すること無しには両替ができないという点である。
【課題を解決するための手段】
【０００７】
自動販売機において物品やサービスを販売することなく両替を行えるようにするため、目的物及びその価額がそれぞれ割り当てられた複数の選択ボタンと、紙幣投入口から紙幣を投入し複数の選択ボタンの何れかを選択操作することで選択ボタンに応じて選択された目的物を搬出する商品搬出部と、前記選択ボタンに割り当てられた目的物の価額を精算して釣銭払出口から釣銭を払い出す金額精算部とを備えた自動販売機において、前記選択ボタンの何れかは、目的物及び価額の割り当てを行わない両替用の設定とし、前記商品搬出部は、前記両替用の選択ボタンにつきその選択操作では目的物の搬出を行わない両替用の設定とし、前記金額精算部は、前記両替用の選択ボタンにつき目的物の割り当てを行わない価額零に対して精算し釣銭として払い出すことを最も主要な特徴とする。
【発明の効果】
【０００８】
目的物及びその価額がそれぞれ割り当てられた複数の選択ボタンと、紙幣投入口から紙幣を投入し複数の選択ボタンの何れかを選択操作することで選択ボタンに応じて選択された目的物を搬出する商品搬出部と、前記選択ボタンに割り当てられた目的物の価額を精算して釣銭払出口から釣銭を払い出す金額精算部とを備えた自動販売機において、前記選択ボタンの何れかは、目的物及び価額の割り当てを行わない両替用の設定とし、前記商品搬出部は、前記両替用の選択ボタンにつきその選択操作では目的物の搬出を行わない両替用の設定とし、前記金額精算部は、前記両替用の選択ボタンにつき目的物の割り当てを行わない価額零に対して精算し釣銭として払い出すことが可能なため、本発明による自動販売機は、物品やサービスを販売することなく両替を行える利点がある。
【発明を実施するための最良の形態】
【０００９】
両替機と自動販売機の構造は、基本構成部品に共通するものが多く、自動販売機の商品選択ボタンの一ないしは複数を購入金額零円の購入と設定することで、自動販売機に両替機の機能をもたせることができた。
【実施例１】
【００１０】
［構成］
図１に本発明による実施例１の自動販売機のブロック構成図を示す。
自動販売機は、以下の各部により構成されている。紙幣を投入する紙幣投入部１１、投入された紙幣を保管する紙幣保管部１３、硬貨を投入する硬貨投入部２１、硬貨を保管する硬貨保管部２３、釣銭を払い出す釣銭払出部３１、釣銭を保管する釣銭保管部３３、商品を搬出する商品搬出部４１、出入りする金額を計算し、その記録を行い釣銭の払出の指示を行う金額精算部５１、投入された金額を表示する金額表示部５３からなる。
【００１１】
紙幣投入部１１には、紙幣を投入する受け口の紙幣投入口１５が備えられている。硬貨投入部２１には、硬貨を投入する受け口の硬貨投入口２５が備えられている。釣銭払出部３１には、払い出した釣銭を利用者が取り出すまでにためておく、釣銭払出口３５が備えられている。商品搬出部４１には、商品を選択するための商品選択ボタン４３と搬出された商品を利用者が取り出すまでに保持しておく、商品搬出口４５が備えられている。
【００１２】
図２は、実施例１の自動販売機の装置外観図である。自動販売機１０１の前面パネル７１には、上記で説明した、紙幣投入口１５、硬貨投入口２５、釣銭払出口３５、商品選択ボタン４３、商品搬出口４５が取り付けられている。また、商品の見本を展示するための商品見本パネル４７、投入された金額を表示する金額表示部５３が備えられている。
【００１３】
本実施例１の自動販売機１０１では、駐車場で使うことのできるプリペイドカードを購入することができ、商品見本パネルには可能駐車時間が明記された、プリペイドカードの見本が展示されている。購入選択ボタン４３のうちのひとつである、下段最右列の商品選択ボタンは、両替用に割り当てられており、その上の商品展示パネルには、両替である旨の記載がされている。
【００１４】
［装置の動作の流れ］
次に実施例１の自動販売機１０１がどのような動作をするかを図３のフローチャートを使って説明する。
【００１５】
まず、硬貨投入口２５または紙幣投入口１５から硬貨または紙幣が投入されると、その金額が金額精算部５１で計算され、金額表示部５３に表示される段階、ステップＳ１が実行される。次に、商品選択ボタン４３のいずれかが押されることにより商品のいずれかまたは両替が選択される段階、ステップＳ３が実行される。本段階において選択された商品の金額は、金額精算部５１に記録される。また、商品選択ボタンで両替が選択された場合には、商品金額零円として、金額精算部５１に記録される。次に、前記ステップＳ３で選択されたボタンがカード販売であるか（ＹＥＳ）否か（ＮＯ；すなわち両替である）が判断される段階、ステップＳ５が実行される。Ｓ５の結果がＹＥＳであれば、商品搬出部４５から、選択された商品（カード）が搬出される段階、ステップＳ７が実行される。また、Ｓ７では、商品搬出が行われたことにより、金額精算部５１において金額の精算が行われ、Ｓ１での入金金額から商品金額を差し引いた額が釣銭として計算され、記録される。次に釣銭があるかどうか判断する段階、ステップＳ９が実行される。Ｓ９においては、前段階Ｓ７での釣銭の計算結果を判断する。Ｓ９がＹＥＳと判断され釣銭がある場合は、次に釣銭を払いだすためのホッパーが起動される段階、ステップＳ１１が実行される。ホッパーは釣銭保管部３３内に搭載されており、ホッパーが起動することにより次のＳ１３において、１００円硬貨を払いだすための準備を釣銭保管部３３内にて行う。次に、釣銭払出口３５より１００円硬貨が払出される段階、ステップＳ１３が実行される。前段階Ｓ１１で、釣銭保管部３３内で釣銭払出準備されていた一枚の１００円硬貨が、釣銭払出部３１を通り、釣銭払出口３５より払い出される。また、１００円硬貨が一枚払い出されたことにより、金額精算部５１では、釣銭が１００円分引かれる計算が行われる。次に、釣銭枚数が終了したかどうかを判断する段階、ステップＳ１５が実行される。ここでは、この前段階Ｓ１３での計算結果を判断する。Ｓ１５で結果がＹＥＳと判断されると釣銭がないということなので、処理は終了する。Ｓ１５での判断がＮＯである場合、再度Ｓ１１のホッパー起動の段階、ステップ１１に戻り、以降Ｓ１１，Ｓ１３，Ｓ１５をＳ１５の結果がＹＥＳとなるまで繰り返す。最終的にＳ１５でＹＥＳ（すなわち釣銭はもう無い）と判断されると処理が終了する。
【００１６】
Ｓ３での選択ボタンの入力が両替であった場合、Ｓ５においてその判断結果がＮＯと判断され、Ｓ１７に進む。Ｓ１７においては、投入された金額が１０００円であるか（ＹＥＳ）、５００円であるか（ＮＯ）を判断する段階、ステップＳ１７が実行される。この段階ではＳ１で入力された金額が金額精算部５１に記録されており、その値を用いてＳ１７の判断を行う。Ｓ１７の結果がＹＥＳである場合すなわち１０００円の両替である場合、Ｓ１１，Ｓ１３，Ｓ１５の段階と同様に、両替のための硬貨を払い出すために、ホッパー起動Ｓ１９，１００円硬貨払出Ｓ２１、払出終了判断Ｓ２３のステップが１０回繰り返され処理を終了する。また、Ｓ１７での結果がＮＯである場合、すなわち５００円の両替の場合も同様に、ホッパー起動Ｓ２５、１００円硬貨払出Ｓ２７、払出終了判断Ｓ２９のステップが５回繰り返されて処理を終了する。
【００１７】
［実施例１の自動販売機の使用例］
次に、本実施例１の自動販売機が利用されている場合について述べる。
【００１８】
図４は、２４時間の無人自動管理駐車場の図である。無人自動管理駐車場１０７には、３台の駐車スペースがあり、その駐車スペースのそれぞれには、駐車状況を管理する駐車管理装置１０５と料金精算機１０９が設置されている。料金精算機１０９は、各駐車スペースの間の幅の狭い限られた面積のところにでも設置できるように小型のものとなっており、そのサイズ制限により、釣銭の出ない硬貨またはプリペイドカーでのみ利用できる料金精算機である。１０１は、本発明による実施例１の自動販売機１０１であり、無人管理駐車場に置かれており、駐車場の利用者がプリペイドカードの購入または両替を行うことが出来る。１１１は、駐車場の利用方法及び自動販売機の利用方法を説明する看板である。
【００１９】
［実施例の効果］
実施例１の自動販売機１０１は、２４時間無人小規模有料駐車場１０７におかれることを対象としており、駐車場の各駐車スペース横にある料金精算機１０９で使用できる駐車カードと、前記料金精算機１０９に支払うための硬貨を両替するための両替機の両方の機能を持つ。上記の無人駐車場１０７に、両替機能を持った実施例１の自動販売機１０１を置くことにより、長時間の駐車を行う利用者は、割引率の高い駐車プリペイドカードを購入することができ、短時間の駐車を行う利用者は、小銭を持たない場合でも、自動販売機１０１により両替を行うことができる。
【００２０】
［その他］
本実施例１で示した以外にも、遊技場における、メダルによってサービスを提供する遊技機と硬貨でサービスを提供する遊技機が混在しているような場所においては、本発明によるメダル販売機と両替機の両方の役割を備えた自動販売機が有効に使用される。また、同じく遊技場において、プリペイドカードによる支払いでサービスを提供する遊技機と硬貨でサービスを提供する遊技機が混在している場所においては、実施例１の自動販売機１０１に遊技場でのプリペイドカードを商品として搬入しておくことにより、そのまま使うことができる。
【００２１】
このように、本発明による自動販売機は駐車場以外にも多くの利用可能例がある。
【図面の簡単な説明】
【００２２】
【図１】本発明による自動販売機のブロック図である（実施例１）。
【図２】本発明による自動販売機の外観図である（実施例１）。
【図３】本発明による自動販売機のフローチャートである（実施例１）。
【図４】本発明による自動販売機を駐車場に設置してある図である（実施例１）。
【符号の説明】
【００２３】
１５  紙幣投入口
３５  釣銭払出口
４１  商品搬出部
４３  商品選択ボタン
５１  金額精算部
【図１】
2007172095.tif 000003
【図２】
2007172095.tif 000004
【図３】
2007172095.tif 000005
【図４】
2007172095.tif 000006